(57)【要約】【課題】４端子のコンデンサを備えるノイズフィルタにおいて、小型化を図りながらも、挿入損失特性の劣化を最小限に留め得るようにする。【解決手段】ノイズフィルタ１ａに備える第１ないし第３のフェライトビーズ１５ａ〜１７ａを低背化する一方、これら第１ないし第３のフェライトビーズ１５ａ〜１７ａのうち、ホット側リード線７の出力側に位置する第２のフェライトビーズ１６ａの断面積を、ホット側リード線７の入力側に位置する第１のフェライトビーズ１５ａおよびアース側リード線１１の入力側に位置する第３のフェライトビーズ１７ａのいずれの断面積より大きくする。【選択図】図１
2007295426.tif 000002
【特許請求の範囲】
【請求項１】
互いに平行に延びかつ相対向する第１および第２の端面上に、それぞれ、第１および第２の端子電極が設けられた、チップ状のコンデンサと、
互いに平行に延びる第１および第２の脚部ならびに前記第１および第２の脚部の各一方端間を連結する中間部を形成するようにそれぞれ全体としてＵ字状をなす、ホット側リード線およびアース側リード線と
を備え、
前記ホット側リード線は、前記第１および第２の脚部が前記第１および第２の端面に平行な方向に延びた状態で、前記中間部において前記第１の端子電極に電気的に接続され、かつ、前記第１および第２の脚部において、それぞれ、ホット側入力端子およびホット側出力端子を構成し、
前記アース側リード線は、前記第１および第２の脚部が前記第１および第２の端面に平行な方向に延びた状態で、前記中間部において前記第２の端子電極に電気的に接続され、かつ、前記第１および第２の脚部において、それぞれ、アース側入力端子およびアース側出力端子を構成し、
前記ホット側リード線の前記第１の脚部上に位置する、第１のフェライトビーズと、
前記ホット側リード線の前記第２の脚部上に位置する、第２のフェライトビーズと、
前記アース側リード線の前記第１の脚部上に位置する、第３のフェライトビーズと、
前記ホット側リード線の前記第２の脚部上に位置し、その内周電極が前記ホット側リード線に電気的に接続され、かつその外周電極が前記アース側リード線に電気的に接続される、貫通コンデンサと
をさらに備え、
前記ホット側リード線および前記アース側リード線の各々の前記第１および第２の脚部の軸線に対して垂直方向の断面で見たとき、前記第２のフェライトビーズの断面積は、前記第１および第３のフェライトビーズのいずれの断面積より大きくされている、
ノイズフィルタ。
【請求項２】
相対向する第１および第２の端面上に、それぞれ、第１および第２の端子電極が設けられた、チップ状のコンデンサと、
その中間部において前記コンデンサの前記第１の端子電極に電気的に接続され、かつその第１および第２の端部において、それぞれ、ホット側入力端子およびホット側出力端子を構成する、ホット側リード線と、
その中間部において前記コンデンサの前記第２の端子電極に電気的に接続され、かつその第１および第２の端部において、それぞれ、アース側入力端子およびアース側出力端子を構成する、アース側リード線と、
前記ホット側リード線の前記第１の端部側に位置する、第１のフェライトビーズと、
前記ホット側リード線の前記第２の端部側に位置する、第２のフェライトビーズと、
前記アース側リード線の前記第１の端部側に位置する、第３のフェライトビーズと、
前記ホット側リード線の前記第２の端部側に位置し、その内周電極が前記ホット側リード線に電気的に接続され、かつその外周電極が前記アース側リード線に電気的に接続される、貫通コンデンサと
を備え、
前記第２のフェライトビーズの軸線方向寸法は、前記第１および第３のフェライトビーズのいずれの軸線方向寸法より長くされている、
ノイズフィルタ。
【発明の詳細な説明】
【技術分野】
【０００１】
この発明は、ノイズフィルタに関するもので、特に、４端子のコンデンサを備えるノイズフィルタに関するものである。
【背景技術】
【０００２】
この発明にとって興味ある従来のノイズフィルタとして、図５および図６に示すようなものがある（特許文献１参照）。図５は、ノイズフィルタ１の外観を示すもので、（ａ）は上面図、（ｂ）は正面図、（ｃ）は右側面図である。図６は、ノイズフィルタ１の内部構造を示す断面図であり、（ａ）は図５（ａ）の線Ａ−Ａに沿う断面図、（ｂ）は図５（ａ）の線Ｂ−Ｂに沿う断面図、（ｃ）は図５（ａ）の線Ｃ−Ｃに沿う断面図、（ｄ）は図５（ａ）の線Ｄ−Ｄに沿う断面図である。
【０００３】
図示したノイズフィルタ１は、より具体的には、ＥＭＩ除去フィルタとして機能するＬＣ複合部品である。
【０００４】
ノイズフィルタ１は、４端子のコンデンサとしてのチップ状のコンデンサ２を備えている。コンデンサ２は、たとえば積層セラミックコンデンサから構成される。コンデンサ２の互いに平行に延びかつ相対向する第１および第２の端面３および４上には、それぞれ、第１および第２の端子電極５および６が設けられている。
【０００５】
また、ノイズフィルタ１は、ホット側リード線７およびアース側リード線１１を備えている。
【０００６】
ホット側リード線７は、図６（ｃ）によく示されているように、互いに平行に延びる第１および第２の脚部８および９ならびに第１および第２の脚部８および９の各一方端間を連結する中間部１０を形成するように全体としてＵ字状をなしている。
【０００７】
他方、アース側リード線１１は、図６（ｄ）によく示されているように、互いに平行に延びる第１および第２の脚部１２および１３ならびに第１および第２の脚部１２および１３の各一方端間を連結する中間部１４を形成するように全体としてＵ字状をなしている。
【０００８】
ホット側リード線７は、第１および第２の脚部８および９がコンデンサ２の第１および第２の端面３および４に平行な方向に延びた状態で、中間部１０において第１の端子電極５に半田付けによって接続されている。また、ホット側リード線７は、第１および第２の脚部８および９において、それぞれ、電源側に接続されるホット側入力端子８ａおよび負荷回路側に接続されるホット側出力端子９ａを構成する。
【０００９】
他方、アース側リード線１１は、第１および第２の脚部１２および１３がコンデンサ２の第１および第２の端面３および４に平行な方向に延びた状態、すなわち、ホット側リード線７における第１および第２の脚部８および９に平行な方向に延びた状態で、中間部１４において第２の端子電極６に半田付けによって接続されている。また、アース側リード線１１は、第１および第２の脚部１２および１３において、それぞれ、電源側に接続されるホット側入力端子１２ａおよび負荷回路側に接続されるホット側出力端子１３ａを構成する。
【００１０】
図５（ａ）によく示されているように、上述したホット側リード線７の中間部１０およびアース側リード線１１の中間部１４は、ともに、コンデンサ２の第１および第２の端面３および４の各々に近づくように湾曲した形状を有している。
【００１１】
ホット側リード線７の第１および第２の脚部８および９には、それぞれ、図５および図６（ｃ）によく示されているように、脚部８および９を受け入れた状態で筒状の第１および第２のフェライトビーズ１５および１６が設けられている。
【００１２】
また、図５および図６（ｄ）によく示されているように、アース側リード線１１の第１の脚部１２には、これを受け入れた状態で筒状の第３のフェライトビーズ１７が設けられている。
【００１３】
また、図６（ｂ）および（ｃ）によく示されているように、ホット側リード線７の第２の脚部９には、これを受け入れた状態で貫通コンデンサ１８が設けられている。貫通コンデンサ１８の内周電極１８ａは、ホット側リード線７の第２の脚部９に半田付けによって接続される。
【００１４】
ノイズフィルタ１は、また、導体からなるグラウンドプレート１９を備えている。グラウンドプレート１９は、リード線７および１１の各々の脚部８、９、１２および１３に対して直交する方向に延びている。
【００１５】
前述した貫通コンデンサ１８の外周電極１８ｂは、図６（ｂ）および（ｃ）によく示されているように、グラウンドプレート１９に半田付けされて接続されている。
【００１６】
また、グラウンドプレート１９には、図６（ｂ）および（ｄ）によく示されているように、アース側リード線１１の第２の脚部１３が半田付けされて接続されている。
【００１７】
他方、図６（ｃ）および（ｄ）によく示されているように、ホット側リード線７の第１の脚部８およびアース側リード線１１の第１の脚部１２は、グラウンドプレート１９に対して電気的に絶縁されている。
【００１８】
グラウンドプレート１９には、導体からなるシールドプレート２０が直交する状態で取り付けられている。シールドプレート２０は、図６（ｃ）および（ｄ）によく示されているように、ホット側リード線７の第１の脚部８すなわち入力端子８ａと第２の脚部９すなわち出力端子９ａとの間、ならびにアース側リード線１１の第１の脚部１２すなわち入力端子１２ａと第２の脚部１３すなわち出力端子１３ａとの間に位置している。
【００１９】
シールドプレート２０には、２個のアース端子２１および２２が一体的に形成されている。アース端子２１および２２は、ホット側入力端子８ａ、ホット側出力端子９ａ、アース側入力端子１２ａおよびアース側出力端子１３ａよりも下方へより突出した状態となっている。
【００２０】
ノイズフィルタ１は、さらに、以上説明したコンデンサ２、ホット側リード線７、アース側リード線１１、フェライトビーズ１５〜１７、貫通コンデンサ１８、グラウンドプレート１９ならびにシールドプレート２０を固定するようにモールドされた絶縁性樹脂からなるケース２３を備えている。
【００２１】
このノイズフィルタ１は、図７に示すような等価回路を実現する。図７において、図５および図６において用いた参照符号を対応の要素に付すことによって、図７に示した要素と図５および図６に示した要素との対応関係が明らかにされている。
【００２２】
ところで、このようなノイズフィルタ１に対しても、他の電子部品と同様、小型化の要望がある。この小型化の要望に応えるため、ケース２３の寸法、特に高さ方向寸法を小さくし、ケース２３内に配置されるフェライトビーズ１５〜１７の高さ方向寸法、すなわち軸線方向寸法を短くすることが有効であり、かつ比較的容易に採用し得る方法である。
【００２３】
しかしながら、フェライトビーズ１５〜１７の軸線方向寸法を単に短くするだけでは、ノイズフィルタ１において所望の挿入損失が得られず、挿入損失特性が劣化するという問題に遭遇することがある。
【特許文献１】特開２００５-１７５８８０号公報
【発明の開示】
【発明が解決しようとする課題】
【００２４】
そこで、この発明の目的は、挿入損失特性をあまり損なうことなく、小型化を可能とする構造を有する、ノイズフィルタを提供しようとすることである。
【課題を解決するための手段】
【００２５】
この発明に係るノイズフィルタは、互いに平行に延びかつ相対向する第１および第２の端面上に、それぞれ、第１および第２の端子電極が設けられた、チップ状のコンデンサと、互いに平行に延びる第１および第２の脚部ならびに第１および第２の脚部の各一方端間を連結する中間部を形成するようにそれぞれ全体としてＵ字状をなす、ホット側リード線およびアース側リード線とを備えている。
【００２６】
上記ホット側リード線は、第１および第２の脚部が第１および第２の端面に平行な方向に延びた状態で、中間部において第１の端子電極に電気的に接続され、かつ、第１および第２の脚部において、それぞれ、ホット側入力端子およびホット側出力端子を構成し、上記アース側リード線は、第１および第２の脚部が第１および第２の端面に平行な方向に延びた状態で、中間部において第２の端子電極に電気的に接続され、かつ、第１および第２の脚部において、それぞれ、アース側入力端子およびアース側出力端子を構成している。
【００２７】
この発明に係るノイズフィルタは、さらに、ホット側リード線の第１の脚部上に位置する、第１のフェライトビーズと、ホット側リード線の第２の脚部上に位置する、第２のフェライトビーズと、アース側リード線の第１の脚部上に位置する、第３のフェライトビーズと、ホット側リード線の第２の脚部上に位置し、その内周電極がホット側リード線に電気的に接続され、かつその外周電極がアース側リード線に電気的に接続される、貫通コンデンサとを備えている。
【００２８】
このようなノイズフィルタにおいて、前述した技術的課題を解決するため、この発明では、ホット側リード線およびアース側リード線の各々の第１および第２の脚部の軸線に対して垂直方向の断面で見たとき、第２のフェライトビーズの断面積が、第１および第３のフェライトビーズのいずれの断面積より大きくされていることを特徴としている。
【００２９】
上述したノイズフィルタは、いわゆる足付きタイプのものであるが、この発明は、以下のような表面実装タイプのノイズフィルタにも適用することができる。
【００３０】
すなわち、この発明に係るノイズフィルタは、第２の局面では、相対向する第１および第２の端面上に、それぞれ、第１および第２の端子電極が設けられた、チップ状のコンデンサと、その中間部においてコンデンサの第１の端子電極に電気的に接続され、かつその第１および第２の端部において、それぞれ、ホット側入力端子およびホット側出力端子を構成する、ホット側リード線と、その中間部においてコンデンサの第２の端子電極に電気的に接続され、かつその第１および第２の端部において、それぞれ、アース側入力端子およびアース側出力端子を構成する、アース側リード線と、ホット側リード線の第１の端部上に位置する、第１のフェライトビーズと、ホット側リード線の第２の端部上に位置する、第２のフェライトビーズと、アース側リード線の第１の端部上に位置する、第３のフェライトビーズと、ホット側リード線の第２の端部上に位置し、その内周電極がホット側リード線に電気的に接続され、かつその外周電極がアース側リード線に電気的に接続される、貫通コンデンサとを備えている。
【００３１】
このようなノイズフィルタにおいて、前述した技術的課題を解決するため、この発明の第２の局面では、第２のフェライトビーズの軸線方向寸法が、第１および第３のフェライトビーズのいずれの軸線方向寸法より長くされていることを特徴としている。
【発明の効果】
【００３２】
この発明に係るノイズフィルタにおいて、上述した第１ないし第３のフェライトビーズのうち、第１および第２のフェライトビーズは入力側に位置し、第２のフェライトビーズは出力側に位置する。入力側の第１および第３のフェライトビーズは、主として、放射および伝導ノイズ成分を抑制する働きを持ち、他方、出力側の第２のフェライトビーズは、主として、１０ＭＨｚ以上の周波数帯域での挿入損失特性を向上させる働きを持っている。したがって、挿入損失特性の点では、入力側の第１および第３のフェライトビーズをたとえ小さくしても、出力側の第２のフェライトビーズさえ大きくすれば、同等の特性が得られる。
【００３３】
このような技術的原理に従って、この発明によれば、第１の局面に係る足付きタイプのものでは、ノイズフィルタを小型化するため、第１ないし第３のフェライトビーズの軸線方向寸法を短くして低背化しても、第２のフェライトビーズの断面積を、第１および第３のフェライトビーズの断面積より大きくしているので、挿入損失特性の劣化を最小限に留めることができ、小型化される前のものと実質的に同等の挿入損失特性を与えることができる。
【００３４】
他方、この発明の第２の局面に係る表面実装タイプのものでは、ノイズフィルタを小型化するため、第１ないし第３のフェライトビーズの断面積を小さくしたり、第１および第３のフェライトビーズの軸線方向寸法を短くしたりしても、第２のフェライトビーズの軸線方向寸法を、第１および第３のフェライトビーズの軸線方向寸法より長くしているので、挿入損失特性の低下を最小限に留めることができ、小型化される前と実質的に同等の挿入損失特性を与えることができる。
【発明を実施するための最良の形態】
【００３５】
図１および図２は、この発明の第１の実施形態によるノイズフィルタ１ａを示すもので、図１は前述の図５に対応し、図２は、前述の図６に対応している。
【００３６】
図１および図２に示したノイズフィルタ１ａは、図５および図６に示したノイズフィルタ１と多くの点で共通している。まず、ノイズフィルタ１ａが与える等価回路は、図７に示したノイズフィルタ１が与える等価回路と同じである。また、ノイズフィルタ１ａの構造についての説明には、前述のノイズフィルタ１の構造についての説明をそのまま援用することができる。図１および図２において、図５および図６に示した要素に相当する要素には同様の参照符号を付し、重複する説明は省略する。以下には、前述のノイズフィルタ１とは異なるノイズフィルタ１ａの特徴的構成について説明する。
【００３７】
ノイズフィルタ１ａにおいては、ノイズフィルタ１の場合に比べて、フェライトビーズ１５ａ〜１７ａの軸線方向寸法がより短くされ、それに応じてケース２３ａの高さ方向寸法が短くされ、低背化が図られている。
【００３８】
しかしながら、一般に、フェライトビーズを小型化すると、ノイズフィルタの挿入損失特性が劣化する。ここで、第１ないし第３のフェライトビーズ１５ａ〜１７ａの機能に着目すると、入力側の第１および第３のフェライトビーズ１５ａおよび１７ａは、主として、放射および伝導ノイズ成分を抑制する働きを持ち、他方、出力側の第２のフェライトビーズ１６ａは、主として、１０ＭＨｚ以上の周波数帯域での挿入損失特性を向上させる働きを持っている。そのため、挿入損失特性の低下を防止するためには、特に、出力側の第２のフェライトビーズ１６ａを大型化することが有効である。
【００３９】
この実施形態では、第１ないし第３のフェライトビーズ１５ａ〜１７ａのすべてについて、その軸線方向寸法を短くしながらも、第２のフェライトビーズ１６ａについてのみ、径方向寸法をより長くすることにより、第２のフェライトビーズ１６ａの大型化を図っている。すなわち、ホット側リード線７およびアース側リード線１１の各々の第１および第２の脚部８および９ならびに１２および１３の軸線に対して垂直方向の断面で見たとき、第２のフェライトビーズ１６ａの断面積は、第１および第３のフェライトビーズ１５ａおよび１７ａのいずれの断面積より大きくされ、挿入損失特性の向上が図られている。
【００４０】
次に、以上説明した第１の実施形態による効果を確認するために実施した実験例について説明する。この実験例の説明では、前述した図７の等価回路図を参照する。
【００４１】
表１に示すように、第１ないし第３のフェライトビーズ１５〜１７の各々のインダクタンス値が種々に変えられた試料１〜５を作製した。
【００４２】
【表１】
2007295426.tif 000003
【００４３】
試料１は、第１の基準例となるべきもので、第１ないし第３のフェライトビーズ１５〜１７のすべてについて、その軸線方向寸法が比較的長くされ、比較的高いインダクタンス値が得られるものである。
【００４４】
試料２は、第２の基準例となるべきもので、第１ないし第３のフェライトビーズ１５〜１７のすべてについて、その軸線方向寸法が比較的短くされ、比較的低いインダクタンス値しか得られないようにしたものである。
【００４５】
試料３は、上記試料２に比べて、第１および第３のフェライトビーズ１５および１７の各々の径を短くし、代わりに第２のフェライトビーズ１６の径を長くし、試料１の場合と同等のインダクタンス値が得られるようにしたものである。
【００４６】
試料４は、試料３に比べて、第１および第３のフェライトビーズ１５および１７のインダクタンス値と第２のフェライトビーズ１６のインダクタンス値との差をより広げ、第２のフェライトビーズ１６では、試料１の場合の２倍のインダクタンス値が得られるようにしたものである。
【００４７】
試料５は、試料１に比べて、第１および第３のフェライトビーズ１５および１７の径を小さくし、得られるインダクタンス値を低くし、試料４と同等のインダクタンス値となるようにしたものである。
【００４８】
また、上記試料１〜５のいずれについても、図７に示したコンデンサ２については、静電容量１．０μＦのものを用い、貫通コンデンサ１８については静電容量３３００ｐＦのものを用いた。
【００４９】
試料１〜５のそれぞれの挿入損失の周波数特性が図３に示されている。
【００５０】
図３を参照して、まず、試料１と試料２との比較をすれば、試料１の場合に比べて、試料２の場合のように、第１ないし第３のフェライトビーズ１５〜１７の各々の軸線方向寸法を単純に短くするだけでは、挿入損失特性が大幅に劣化することがわかる。他方、試料２に比べて、試料３および５さらには試料４というように、第２のフェライトビーズのインダクタンス値をより高くとるようにすれば、挿入損失特性が向上し、試料１が有する挿入損失特性により近づけることができる。
【００５１】
図４は、この発明の第２の実施形態によるノイズフィルタ３１を説明するためのもので、（ａ）は、ノイズフィルタ３１に備えるケース５０のカバー５２を取り除いた状態で示す平面図であり、（ｂ）は、（ａ）の線Ｂ−Ｂに沿う断面図である。このノイズフィルタ３１は、前述の図７に示した等価回路と同じ等価回路を与えるものである。ノイズフィルタ３１は、表面実装タイプのものである。
【００５２】
ノイズフィルタ３１は、４端子のコンデンサとしてのチップ状のコンデンサ３２を備えている。コンデンサ３２は、たとえば積層セラミックコンデンサから構成される。コンデンサ３２の互いに平行に延びかつ相対向する第１および第２の端面３３および３４上には、それぞれ、第１および第２の端子電極３５および３６が設けられている。
【００５３】
また、ノイズフィルタ３１は、互いに平行に延びるホット側リード線３７およびアース側リード線４１を備えている。
【００５４】
ホット側リード線３７は、その中間部１０においてコンデンサ３２の第１の端子電極５に半田付けによって接続されている。また、ホット側リード線３７は、第１および第２の端部３８および３９において、それぞれ、電源側に接続されるホット側入力端子３８ａおよび負荷回路側に接続されるホット側出力端子３９ａを構成する。
【００５５】
他方、アース側リード線４１は、その中間部４４においてコンデンサ３２の第２の端子電極６に半田付けによって接続されている。また、アース側リード線４１は、第１および第２の端部４２および４３において、それぞれ、電源側に接続されるホット側入力端子４２ａおよび負荷回路側に接続されるホット側出力端子４３ａを構成する。
【００５６】
なお、ホット側リード線３７におけるホット側入力端子３８ａおよびホット側出力端子３９ａは、ホット側リード線３７の他の部分とは別体で構成されてもよい。また、アース側リード線４１におけるホット側入力端子４２ａおよびホット側出力端子４３ａについても、アース側リード線４１の他の部分とは別体で構成されてもよい。
【００５７】
ホット側リード線３７の第１および第２の端部３８および３９側には、それぞれ、ホット側リード線３７を受け入れた状態で筒状の第１および第２のフェライトビーズ４５および４６が設けられている。
【００５８】
また、アース側リード線４１の第１の端部４２側には、アース側リード線４１これを受け入れた状態で筒状の第３のフェライトビーズ４７が設けられている。
【００５９】
また、ホット側リード線３７の第２の端部３９側には、ホット側リード線３７を受け入れた状態で貫通コンデンサ４８が設けられている。貫通コンデンサ４８の内周電極４８ａは、ホット側リード線３７に半田付けによって接続される。
【００６０】
ノイズフィルタ３１は、また、導体からなるグラウンドプレート４９を備えている。グラウンドプレート４９は、リード線３７および４１の各々の下方において比較的広い面積にわたって延びている。前述した貫通コンデンサ４８の外周電極４８ｂは、グラウンドプレート４９に半田付けされて接続されている。
【００６１】
ノイズフィルタ３１は、さらに、絶縁性樹脂からなるケース５０を備えている。ケース５０は、上述したコンデンサ３２、ホット側リード線３７、アース側リード線４１、フェライトビーズ４５〜４７、貫通コンデンサ４８ならびにグラウンドプレート４９を位置決めするようにモールドされたケース本体５１と、ケース本体５１を覆うように、ケース本体５１に接合されるカバー５２とから構成される。
【００６２】
図４（ｂ）において、ホット側リード線３７について図示されているように、前述したホット側入力端子３８、ホット側出力端子３９、アース側入力端子４２ａおよびアース側出力端子４３ａは、ケース５０の下面側において露出するように延びていて、ノイズフィルタ３１の表面実装が可能なようにされている。なお、図示しないが、グラウンドプレート４９に接続されるアース端子についても、ケース５０の下面側に露出するように設けられている。
【００６３】
このようなノイズフィルタ３１において、第２のフェライトビーズ４６の軸線方向寸法が、第１および第３のフェライトビーズ４５および４７のいずれの軸線方向寸法より長くされている。これによって、ノイズフィルタ３１の小型化のために、たとえば、第１および第３のフェライトビーズ４５および４７の軸線方向寸法が短くされたり、あるいは、第１ないし第３のフェライトビーズ４５〜４７の各々の径方向寸法が短くされたりしても、第２のフェライトビーズ４６が挿入損失特性を向上させるように働くため、ノイズフィルタ３１の小型化による挿入損失特性の劣化を最小限に留めることができる。
【００６４】
以上、この発明を図示した実施形態に関連して説明したが、この発明の範囲内において、その他種々の変形例が可能である。
【００６５】
たとえば、図示の実施形態では、第１ないし第３のフェライトビーズというように、３個のフェライトビーズが設けられたが、これらに加えて、アース側リード線のアース側出力端子側にフェライトビーズが設けられてもよい。
【００６６】
また、貫通コンデンサが、さらに、ホット側リード線のホット側入力端子側に設けられてもよい。
【図面の簡単な説明】
【００６７】
【図１】この発明の第１の実施形態によるノイズフィルタ１ａの外観を示すもので、（ａ）は上面図、（ｂ）は正面図、（ｃ）は右側面図である。
【図２】図１に示したノイズフィルタ１ａの内部構造を示す断面図であり、（ａ）は図１（ａ）の線Ａ−Ａに沿う断面図、（ｂ）は同じく線Ｂ−Ｂに沿う断面図、（ｃ）は同じく線Ｃ−Ｃに沿う断面図、（ｄ）は同じく線Ｄ−Ｄに沿う断面図である。
【図３】図１および図２に示した第１の実施形態による効果を確認するために実施した実験例において作製した試料１〜５の各々の挿入損失の周波数特性を示す図である。
【図４】この発明の第２の実施形態によるノイズフィルタ３１を示すもので、（ａ）は、ノイズフィルタ３１に備えるケース５０のカバー５２を取り除いた状態で示す平面図であり、（ｂ）は、（ａ）の線Ｂ−Ｂに沿う断面図である。
【図５】この発明にとって興味ある従来のノイズフィルタ１の外観を示すもので、（ａ）は上面図、（ｂ）は正面図、（ｃ）は右側面図である。
【図６】図５に示したノイズフィルタ１の内部構造を示す断面図であり、（ａ）は図１（ａ）の線Ａ−Ａに沿う断面図、（ｂ）は同じく線Ｂ−Ｂに沿う断面図、（ｃ）は同じく線Ｃ−Ｃに沿う断面図、（ｄ）は同じく線Ｄ−Ｄに沿う断面図である。
【図７】図５および図６に示したノイズフィルタ１によって実現される等価回路図である。
【符号の説明】
【００６８】
１ａ，３１  ノイズフィルタ
２，３２  コンデンサ
３，３３  第１の端面
４，３４  第２の端面
５，３５  第１の端子電極
６，３６  第２の端子電極
７，３７  ホット側リード線
８，１２  第１の脚部
８ａ，３８  ホット側入力端子
９，１３  第２の脚部
９ａ，３９  ホット側出力端子
１０，１４，４０，４４  中間部
１１，４１  アース側リード線
１２ａ，４２  アース側入力端子
１３ａ，４３  アース側出力端子
１５ａ、４５  第１のフェライトビーズ
１６ａ、４６  第２のフェライトビーズ
１７ａ、４７  第３のフェライトビーズ
１８，４８  貫通コンデンサ
１８ａ，４８ａ  内周電極
１８ｂ，４８ｂ  外周電極
３８，４２  第１の端部
３９，４３  第２の端部
【図１】
2007295426.tif 000004
【図２】
2007295426.tif 000005
【図３】
2007295426.tif 000006
【図４】
2007295426.tif 000007
【図５】
2007295426.tif 000008
【図６】
2007295426.tif 000009
【図７】
2007295426.tif 000010